(57)【特許請求の範囲】
【請求項１】
内部に第１の空間を有すると共に少なくとも一方が開口したケースと、前記ケースの第１の空間内に回転可能に収容されるナット収容部材と、前記ナット収容部材を回転させる回転伝達部と、前記ケースの外部に配置された取付手段とを有し、
前記ナット収容部材は、内部に第２の空間を有すると共に少なくとも前記第１の空間の開口と同じ側が開口した筒状体であり、前記筒状体の開口からナットを前記第２の空間内に収容することができると共に、前記第２の空間内に前記ナットを保持するための保持機構が設けられていることを特徴とするナット回し用工具。
【請求項２】
前記保持機構は、前記ナットに当接するための当接部と、前記当接部を前記ナット側に付勢する弾性部とで前記ナットを挟むことにより保持することを特徴とする請求項１に記載のナット回し用工具。
【請求項３】
前記回転伝達部は、締付工具の回転する突出部が装着される装着孔が前記第１及び第２の空間の開口とは反対側に開口して形成されていることを特徴とする請求項１又は請求項２に記載のナット回し用工具。
【請求項４】
請求項１に記載のナット回し用工具の取付手段として工具側菊座構造部が用いられていると共に、絶縁操作棒の先端に装着される基部側菊座構造部を備えた先端工具とは、姿勢変動用部材を介して連結されており、
前記姿勢変動用部材は、前記工具側菊座構造部と連結可能な第１の菊座構造部と、前記基部側菊座構造部と連結可能な第２の菊座構造部とを有し、
前記第１の菊座構造部の前記工具側菊座構造部に対峙する面と前記第２の菊座構造部の前記基部側菊座構造部に対峙する面とは異なる方向に向いていることを特徴とするナット回し用工具の連結機構。
【発明の詳細な説明】
【技術分野】
【０００１】
本発明は、間接活線作業において、ナットを回して、ナットをボルトのねじ部に装着したり、反対にボルトのねじ部に装着されたナットを取り外したりするのに好適なナット回し用工具及びこのナット回し用工具の姿勢を変動させることができる連結機構の構造に関する。
【背景技術】
【０００２】
間接活線作業において、腕金等に装着されたボルトのねじ部に外装されたナットを回してボルトに締め付ける場合には、例えば特許文献１に示されるような間接活線用のラチェットレンチを用いるのが一般的である。特許文献１のラチェットレンチでは、予めソケットの保持穴にナットを装着して、ラチェットレンチを、保持穴の中心を回転中心として回転させることで、ボルトのねじ部に装着されたナットを回している。
【０００３】
また、同じく特許文献１に示されるような絶縁ヤットコの２つの把持部でナットを把持して、ナットを所定の方向に回転させることで、ボルトのねじ部に装着されたナットを回している。
【先行技術文献】
【特許文献】
【０００４】
【特許文献１】特開２０１２−８７８８３９号公報
【発明の概要】
【発明が解決しようとする課題】
【０００５】
もっとも、予めラチェットレンチのソケットの保持穴にナットを装着した場合には、ソケットにナットを保持した状態のまま、ラチェットレンチをボルトに近接させて、ボルトのねじ部にナットを外装させ、更に、ラチェットレンチを回転させるという一連の操作が必要となる。
【０００６】
このため、ナットがソケットから落下するおそれがあるので、通常では、ソケットの保持穴が水平方向よりも上方に向いた状態で、ラチェットレンチをボルトに近接させ、且つ、ボルトのねじ部にナットを外装させる際にも、作業員は高度の注意を必要とする。
【０００７】
この点、特許文献１では、ソケットからナットが脱落するのを防止するために、ナットの改良を図っている。しかし、特許文献１のナットは、ナット本体と、ナット本体の外周に一端部を分離可能に止着して、ナット本体に巻回される線状体と、前記線状体の上からナット本体の外周に一周程度巻回するテープとで構成されるもので、従来の単純な環状体の構造のナットに比較して、複雑化し、複数の部品で構成されたものとなっている。
【０００８】
また、絶縁ヤットコの把持部でナットを把持してボルトのねじ部にナットを装着する場合には、ナットの通穴の径方向に沿った外形寸法や軸方向に沿った寸法により、ナットを把持することができる場所が限定される。
【０００９】
このため、絶縁ヤットコの把持部によってナットを把持した状態で、ボルトのねじ部の螺子山にナットの螺子溝を合せて、ナットを回転させる一連の作業を行うにあたって、作業空間が狭いと、作業員は無理な姿勢で絶縁ヤットコを持って操作する必要等が生じ、作業能率が低くなるという不具合を有する。
【００１０】
そこで、本発明は、簡易な構造で、ナットを予めナット収容部材に収めた状態で移動させたり、ナットとボルトのねじ部との螺子合せ、及びナットを回転させる操作をしたりしても、ナットの脱落を防止することを可能としたナット回し用工具及びこのナット回し用工具の連結機構を提供することを目的としている。
【課題を解決するための手段】
【００１１】
本発明に係るナット回し用工具は、内部に第１の空間を有すると共に少なくとも一方が開口したケースと、前記ケースの第１の空間内に回転可能に収容されるナット収容部材と、前記ナット収容部材を回転させる回転伝達部と、前記ケースの外部に配置された取付手段とを有し、前記ナット収容部材は、内部に第２の空間を有すると共に少なくとも前記第１の空間の開口と同じ側が開口した筒状体であり、前記筒状体の開口からナットを前記第２の空間内に収容することができると共に、前記第２の空間内に前記ナットを保持するための保持機構が設けられていることを特徴としている（請求項１）。
【００１２】
これにより、ナット回し用工具のケースの開口からナットをナット収容部材の開口内に挿入することで、ナットは保持機構により保持される。このため、取付手段に、絶縁操作棒に装着された先端工具を直接又は間接に取り付けて、ナット回し用工具をボルトに近づける作業において、ナット収容部材及びケースを開口が上方に向くように傾けてナットに近接させる必要がなくなる。
【００１３】
また、本発明に係るナット回し用工具では、前記保持機構は、前記ナットに当接するための当接部と、前記当接部を前記ナット側に付勢する弾性部とで前記ナットを挟むことにより保持することを特徴としている（請求項２）。当接部は、例えば板状部材であり、弾性部は、例えばコイルバネである。
【００１４】
これにより、ナットを弾性部で付勢された当接部で両側から挟持することができるので、ナットをナット収容部材内にて確実に保持することが可能である。
【００１５】
更に、本発明に係るナット回し用工具では、前記回転伝達部は、締付工具の回転する突出部が装着される装着孔が前記第１及び第２の空間の開口とは反対側に開口して形成されていることを特徴としている（請求項３）。締付工具は、間接活線作業用のものであり、例えば共用操作棒の先端に装着される間接ラチェット等の先端工具である。
【００１６】
これにより、ナット収容部材でナットを保持した状態で、ナットをボルトのねじ部の先側に装着した後は、回転伝達部の装着孔に締付工具の突出部を装着して突出部を回転させることで、回転伝達部の回転がナット収容部材に伝達されてナット収容部材も回転し、よって、ナットを回転させながらボルトのねじ部の基部側に進め、対象物に締め付けることが可能である。
【００１７】
そして、本発明に係るナット回し用工具の連結機構は、請求項１に記載のナット回し用工具の取付手段として工具側菊座構造部が用いられていると共に、絶縁操作棒の先端に装着される基部側菊座構造部を備えた先端工具とは、姿勢変動用部材を介して連結されており、前記姿勢変動用部材は、前記工具側菊座構造部と連結可能な第１の菊座構造部と、前記基部側菊座構造部と連結可能な第２の菊座構造部とを有し、前記第１の菊座構造部の前記工具側菊座構造部に対峙する面と前記第２の菊座構造部の前記基部側菊座構造部に対峙する面とは異なる方向に向いていることを特徴としている（請求項４）。例えば、第１の菊座構造部の工具側菊座構造部に対峙する面と第２の菊座部菊座構造部の基部側菊座構造部に対峙する面とは、絶縁操作棒の周方向に沿って例えば９０度ずれた方向に向いている。
【００１８】
これにより、先端工具の基部側菊座構造部に対し姿勢変動用部材の第２の菊座構造部について、基部側菊座構造部の面の中心を回転中心として任意の傾きとなるように回転させて連結することで、姿勢変動用部材について、先端工具に対してその向きを左右方向あるは前後方向に変更することができる。そして、姿勢変動用部材の第１の菊座構造部に対しナット回し用工具の工具側菊座構造部について、第１の菊座構造部の面の中心を回転中心として任意の傾きとなるように回転させて連結することで、姿勢変動用部材に対してその向きを前後方向あるは左右方向に変更することができる。よって、両者の連結状態を組み合わせることで、ナット回し用工具のナット収容部材の開口する向きを様々な方向に変更させることが可能である。
【発明の効果】
【００１９】
以上のように、本発明に係るナット回し用工具によれば、ケースの開口からナットをナット収容部材の開口内に挿入することで、ナットは保持機構により保持される。このため、取付手段に対し、絶縁操作棒に装着された先端工具を直接又は間接に取り付けて、ナット回し用工具をボルトに近づける作業において、ナット収容部材及びケースを開口が上方に向くように傾けてナットに近接させる必要がないので、ナットをボルトのねじ部に装着させる作業の効率化、迅速化を図ることが可能である。
【００２０】
特に請求項２に係るナット回し用工具によれば、ナットを弾性部で付勢された当接部で挟持することができるため、ナットをナット収容部材内にて確実に保持することが可能であるので、ナット収容部材の開口が下方に向いてもナットがナット回し用工具のナット収容部材からの脱落するのを防止することができる。よって、ナットをボルトのねじ部に装着させる作業の効率化、迅速化をより一層図ることが可能である。
【００２１】
特に請求項３に係るナット回し用工具によれば、ナット収容部材でナットを保持した状態で、ナットをボルトのねじ部の先側に装着した後は、回転伝達部の装着孔に締付工具の突出部を装着して突出部を回転させることで、回転伝達部の回転がナット収容部材に伝達されてナット収容部材も回転するので、ナットを回転させながらボルトのねじ部の基部側に進めることができる。よって、ナットによる締め付け作業を簡易に行うことが可能である。
【００２２】
本発明に係るナット回し用工具の連結機構によれば、先端工具の基部側菊座構造部に対し姿勢変動用部材の第２の菊座構造部について、基部側菊座構造部の面の中心を回転中心として任意の傾きとなるように回転させて連結することで、姿勢変動用部材について、先端工具に対してその向きを左右方向あるは前後方向に変更することができると共に、姿勢変動用部材の第１の菊座構造部に対しナット回し用工具の工具側菊座構造部について、第１の菊座構造部の面の中心を回転中心として任意の傾きとなるように回転させて連結することで、姿勢変動用部材に対してその向きを前後方向あるは左右方向に変更することができる。よって、第１の菊座構造部と第２の菊座構造部との連結状態を適宜組み合わせることにより、ナット回し用工具のナット収容部材の開口する向きを様々な方向に変更させることが可能である。
【図面の簡単な説明】
【００２３】
【図１】図１は、本発明に係るナット回し用工具を示す説明図であり、図１（ａ）はナット回し用工具の正面図、図１（ｂ）はナット回し用工具の側面図、図１（ｃ）はナット回し用工具の背面図である。
【図２】図２は、前記ナット回し用工具を示す断面図であり、図２(ａ）はナット回し用工具がナットを保持していない状態の断面図、図２（ｂ）はナット回し用工具がナットを保持した状態の断面図である。
【図３】図３は、本発明に係る姿勢変動用部材を示す説明図であり、図３（ａ）は姿勢変動用部材の側面図、図３（ｂ）は姿勢変動用部材の側面図具本の正面図である。
【図４】図４は、ナット回し用工具及び姿勢変動用部材の使用状態の一例を示す説明図である。
【発明を実施するための形態】
【００２４】
以下、本発明に係るナット回し用工具及びこのナット回し用工具と絶縁操作棒に装着された先端工具との連結機構について図面を参照しながら説明する。
【００２５】
ナット回し用工具１は、図１及び図２に示されるように、ケース２と、ナット収容部材３と、回転伝達部４と、取付手段としての工具側菊座構造部５とを備えている。
【００２６】
ケース２は、内部に円柱状の空間２１を有するもので、空間２１は下記するナット収容部材３の外径寸法よりも若干大きな内径寸法を有していると共に、この空間２１の軸方向の両側に開口２１ａ、２１ｂが形成されている。
【００２７】
開口２１ａは、円状のもので、その周縁から円の中心に向けて、リブ２２が環状に立設している。これに伴い、当該開口２１ａの内径寸法は、ナット収容部材３の外径寸法よりも小さい一方で、ナット３００の外径寸法よりは大きくなっている。開口２１ｂは、下記する回転伝達部４の少なくともナット収容部材３側の部位の外径寸法よりも大きな内径寸法を有している。
【００２８】
ナット収容部材３は、内部に空間３１を有すると共に両側に開口３１ａ、３１ｂが形成された円筒の筒状体であり、ケース２の空間２１には、円筒の円の中心を回転中心として回転可能に収容されている。すなわち、ナット収容部材３の開口３１ａは、ケース２の空間２１への収容時には、ケース２の開口２１ａと同じ側を向き、ナット収容部材３の開口３１ｂは、ケース２の空間２１への収容時には、ケース２の開口２１ｂと同じ側を向いている。そして、ナット収容部材３は、ケース２の開口２１ａ側が下方となるように傾いても、開口２１ａの周縁に立設されたリブ２２があるので、空間２１から外部に抜け出ることがないようになっている。
【００２９】
また、ナット収容部材３の空間３１は、開口３１ａ側の部位では下記するナット３００の外径寸法よりも大きな内径寸法をする円孔となっている。そして、空間３１の開口３１ａ側の部位の内周面は、ケース２の開口２１ａの内周面とは段差なく一連に延びたものとなっている。これにより、ナット３００を、ケース２の開口２１ａからナット収容部材３の開口３１ａを経て空間３１内に円滑に収容させることができる。
【００３０】
空間３１の開口３１ｂ側の部位は、断面形状が。下記する下記する回転伝達部４の形状（この実施例では六角柱状）に対応した内形状（六角形状）となっており、回転伝達部４の外形寸法より若干大きな内形寸法を有している。これにより、ケース２の開口２１ｂから空間２１内に挿入された回転伝達部４は、ナット収容部材３の開口３１ｂから空間３１内に圧入されて、ナット収容部材３に対し回転することなく一体化することができる。
【００３１】
更に、この実施例では、図２に示されるように、ケース２の空間２１のナット収容部材３と対峙する部位にベアリング（軸受）３２、３２が配置されており、ナット収容部材３の円滑な回転が図られるようになっている。
【００３２】
そして、ナット収容部材３の空間３１のうち開口３１ａ側には、ナット３００を保持するための保持機構３３が設けられている。
【００３３】
保持機構３３は、この実施例では、ナット３００の外周面に当接する当接面を有した２つの略平らなプレート状の当接部３３ａと、この当接部３３ａをナット３００側に押圧する２つの押圧部３３ｂとで構成されている。そして、一方の当接部３３ａと他方の当接部３３ａとは対峙していると共に、一方の当接部３３ａと他方の当接部３３ａとの間隔は、通常時には、図２（ａ）に示されるように、ナット３００の外径寸法よりも小さくなっている。押圧部３３ｂは、この実施例ではコイルバネであり、当接部３３ａを均一にナット３００側に付勢することができるように等間隔にバランス良く配置されている。
【００３４】
これにより、図２（ｂ）に示されるように、ナット３００を当接部３３ａと当接部３３ａとの間に介在させた場合には、ナット３００は当接部３３ａ、３３ａで挟まれて保持された状態となる。
【００３５】
回転伝達部４は、この実施例では、六角柱状の柱状体であり、ナット収容部材３に開口３１ｂから空間３１内に挿入することにより、回転伝達部４の回転をナット収容部材３に伝達することが可能である。そして、回転伝達部４のナット収容部材３への挿入側と反対側端には、孔部４ａが形成されており、この孔部４ａには、下記する間接ラチェット等の締め付け機能を有する先端工具６の本体６１から突出して回転を伝達する突出部６１ａが挿入されている。
【００３６】
工具側菊座構造部５は、この実施例では、円状の当接面５１と、この当接面５１の中心に形成された螺子孔（図示せず。）と、この螺子孔に螺合される螺子部材５２と、内孔が螺子切りされた蝶型のナット５３と、当接面５１に形成された複数の条状の突出部５４とで構成されている。ナット５３は、螺子部材５２に外装されて、ナット５３を回転させることで、螺子部材５２の軸方向に沿って進退させることができる。また、突出部５４は、当接面５１の周縁から前記螺子孔に向かって放射状に延びるように配置されている。螺子部材５２は、図示しないが、当接面５１に一体に形成されていても良い。
【００３７】
そして、工具側菊座構造部５は、共用操作棒１００の頭部に装着される先端工具の一種である菊座コネクタ１１０の基部側菊座構造部１１１に、姿勢変動用部材７を介して連結されるようになっている。
【００３８】
菊座コネクタ１１０及びその基部側菊座構造部１１１は公知の構造であるが、一応において説明すると、工具側菊座構造部５と同様に、円状の当接面と、この当接面の中心に形成された螺子孔と、この螺子孔に螺合される螺子部材と、内孔が螺子切りされた蝶型のナットと、当接面に形成された複数の条状の突出部とで構成されている。
【００３９】
姿勢変動用部材７は、図３に示されるように、第１の菊座構造部７１と第２の菊座構造部７２とを有している。これらの第１の菊座構造部７１と第２の菊座構造部７２とは、姿勢変動用部材７を共用操作棒１００の先端に装着された菊座コネクタ１１０に取り付けた際に、共用操作棒１００の軸方向に沿って並ぶように連接されている。
【００４０】
このうち、第１の菊座構造部７１は、略円状の当接面７１１と、周縁から当接面７１１の中心に向かって延びるスリット７１２と、当接面７１１に形成された複数の条状の突出部７１３とで構成されている。スリット７１２の短手方向の幅は、工具側菊座構造部５の螺子部材５２の径寸法より若干大きくなっている。また、突出部７１３は、当接面７１１の周縁から前記螺子孔に向かって放射状に延びるように配置されていると共に、隣接する突出部７１３と突出部７１３との間隔は、突出部５４の短手方向の幅より若干大きくなっており、突出部５４と噛み合うことが可能になっている。
【００４１】
また、第２の菊座構造部７２は、略円状の当接面７２１と、周縁から当接面７２１の中心に向かって延びるスリット７２２と、当接面７２１に形成された複数の条状の突出部７２３とで構成されている。スリット７２２の短手方向の幅は、基部側菊座構造部１１１の螺子部材の径寸法より若干大きくなっている。また、突出部７２３は、当接面７２１の周縁から前記螺子孔に向かって放射状に延びるように配置されていると共に、隣接する突出部７２３と突出部７２３との間隔は、基部側菊座構造部１１１の突出部の短手方向の幅より若干大きくなっており、前記突出部と噛み合うことが可能になっている。
【００４２】
尚、第１の菊座構造部７１のスリット７１２、第２の菊座構造部７２のスリット７２２の代わりに、螺子部材の径寸法よりも若干大きな貫通孔としても良い。
【００４３】
そして、第１の菊座構造部７１の当接面７１１と第２の菊座構造部７２の当接面７２１とは、図３（ａ）及び図３（ｂ）で示されるように、共用操作棒１００の周方向に沿って９０度ずれた向きになっている。
【００４４】
しかるに、菊座コネクタ１１０の基部側菊座構造部１１１に対し、姿勢変動用部材７の第２の菊座構造部７２を、基部側菊座構造部１１１の螺子部材を回転中心として任意の傾きとなるように回転させて連結させ、姿勢変動用部材７の第１の菊座構造部７１に対し、ナット回し用工具１の工具側菊座構造部５を、螺子部材５２を回転中心として任意の傾きとなるように回転させて連結させることによって、ナット回し用工具１のナット収容部材３の開口３１ａの向きを自在に変更することが可能である。
【００４５】
上記した構成のナット回し用工具１を用いてナット３００を締め付ける工程について、図２及び図４を用いて説明する。
【００４６】
まず、ナット収容部材３の開口３１ａからナット３００をナット収容部材３の空間３１内に収容する。これにより、押圧部３３ｂのバネ力（押力）を利用して当接部３３ａ、３３ａによりナット３００は挟まれた状態となるので、ナット３００は、ナット収容部材３の空間３１内にて保持される。この作業の前後において、ナット回し用工具１は、姿勢変動用部材７を介して共用操作棒１００に装着された菊座コネクタ１１０に取り付けられる。この取り付け作業時に、菊座コネクタ１１０の基部側菊座構造部１１１への姿勢変動用部材７の第２の菊座構造部７２の取り付け位置、及び、姿勢変動用部材７の第１の菊座構造部７１へのナット回し用工具１の工具側菊座構造部５の取り付け位置について、作業員が作業しやすいように調整も行う。
【００４７】
次に、共用操作棒１００の基端側の持手部を持って、ナット回し用工具１をボルト４００に接近させていき、ボルト４００にナット３００を外装させる。
【００４８】
更に、ナット回し用工具１の回転伝達部４の孔部４ａに先端工具６（共用操作棒１００に装着済み）の突出部６１ａを挿入して、共用操作棒１００を所要方向に回転させる。これにより、回転伝達部４と一緒にナット収容部材３がナット３００を保持したまま回転するので、ナット３００がボルト４００の基部側に前進して対象物を締め付けることが可能である。
【００４９】
また、上記した構成のナット回し用工具１を用いてナット３００をボルト４００から外す工程について、図４及び図２を用いて説明する。
【００５０】
まず、ナット回し用工具１は、姿勢変動用部材７を介して共用操作棒１００に装着された菊座コネクタ１１０に取り付けられる。この取り付け作業時に、菊座コネクタ１１０の基部側菊座構造部１１１への姿勢変動用部材７の第２の菊座構造部７２の取り付け位置、及び、姿勢変動用部材７の第１の菊座構造部７１へのナット回し用工具１の工具側菊座構造部５の取り付け位置について、作業員が作業しやすいように調整も行う。
【００５１】
次に、ボルト４００に外装されているナット３００に対しナット収容部材３を開口３１ａから外装して、ナット３００をボルト４００に外装されたままナット収容部材３の空間３１内に収容する。このとき、ナット３００は、押圧部３３ｂのバネ力（押力）を利用して当接部３３ａ、３３ａによりナット３００は挟まれた状態となるので、ナット収容部材３の空間３１内にて保持された状態となる。
【００５２】
更に、回転伝達部４の孔部４ａに先端工具６（共用操作棒１００に装着済み）の突出部６１ａが挿入された状態にして、共用操作棒１００を所要方向に回転させる。これにより、回転伝達部４と一緒にナット収容部材３がナット３００を保持したまま回転するので、ナット３００がボルト４００の先端側に後退して対象物への締め付けを緩めることが可能である。
【００５３】
そして、ナット３００がボルト４００から外れても、ナット３００は、ナット収容部材３の保持機構３３で保持されたままであるので、ナット３００が脱落することはない。このため、ボルト４００から外れたナット３００を簡易に回収することが可能となる。
【符号の説明】
【００５４】
１  ナット回し用工具
２  ケース
２１  空間（第１の空間）
２１ａ  開口
２１ｂ  開口
３  ナット収容部材
３１  空間（第２の空間）
３１ａ  開口
３１ｂ  開口
３３  保持機構
３３ａ  当接部
３３ｂ  押圧部
４  回転伝達部
４ａ  孔部
５  工具側菊座構造部
６  先端工具
７  姿勢変動用部材
７１  第１の菊座構造部
７１１  当接面
７２  第２の菊座構造部
１００  共用操作棒
１１０  菊座コネクタ
１１１  基部側菊座構造部
７２１  当接面
３００  ナット
４００  ボルト
【図１】
0005878195.tif 000002
【図２】
0005878195.tif 000003
【図３】
0005878195.tif 000004
【図４】
0005878195.tif 000005